(57)【特許請求の範囲】
【請求項１】
磁性体のハウジング（１）、このハウジング（１）内に配設されるボビン（２）、このボビン（２）に巻装されるコイル（３）、このボビン（２）に囲繞されて前記ハウジング（１）に固着される固定コア（５）、前記コイル（３）の励磁により前記固定コア（５）に吸着される可動プランジャ（６）、この可動プランジャ（６）を前記固定コア（５）から離間する方向に付勢する戻しばね（２５）、前記可動プランジャ（６）の、ハウジング（１）外に突出する外端部に結合されるジョイント部材（２４）、及び前記コイル（３）を覆って前記ハウジング（１）に取り付けられるコイルカバー（７ａ）を備える電磁アクチュエータにおいて、
前記コイルカバー（７ａ）に、前記可動プランジャ（６）の外端部外周を覆うプランジャカバー（７ｂ）を一体に成形して、カバー組立体（７）を構成し、
前記プランジャカバー（７ｂ）の半径方向に弾性変形が可能であって自由状態では前記ジョイント部材（２４）に係合して該部材（２４）の外方移動を規制するストッパ腕（４５）を、該プランジャカバー（７ｂ）の周壁の一部により構成したことを特徴とする、電磁アクチュエータ。
【請求項２】
請求項１記載の電磁アクチュエータにおいて、
前記ハウジング（１）を、前記固定コア（５）を支持する第１端壁（１ａ）と、前記可動プランジャ（６）に貫通される第２端壁（１ｂ）と、これら第１及び第２端壁（１ａ，１ｂ）間を連結するように前記コイル（３）の一側に配置される側壁（１ｃ）とで構成し、前記第２端壁（１ｂ）に嵌合して取り付けられる嵌合取り付け部（７ｃ）を前記カバー組立体（７）に一体に成形し、この嵌合取り付け部（７ｃ）及び前記ハウジング（１）間に嵌合取り付け部（７ｃ）の第２端壁（１ｂ）からの離脱を阻止する抜け止め手段を設けたことを特徴とする、電磁アクチュエータ。
【請求項３】
請求項２記載の電磁アクチュエータにおいて、
前記抜け止め手段として、前記ボビン（２）のフランジ（２ａ，２ｂ）を前記コイルカバー（７ａ）の内周に嵌合し、また前記可動プランジャ（６）の摺動を案内すべく前記ボビン（２）の内周に嵌合される案内スリーブ（４）を前記第２端壁（１ｂ）及びボビン（２）に嵌挿すると共に前記固定コア（５）に固着し、該案内スリーブ（４）及びボビン（２）により嵌合取り付け部（７ｃ）の前記第２端壁（１ｂ）からの離脱を阻止するようにしたことを特徴とする、電磁アクチュエータ。
【請求項４】
請求項２又は３の何れかに記載の電磁アクチュエータにおいて、
前記ハウジング（１）の支持体（Ｓ）へのねじ止めに使用する取り付けボス（９）を前記側壁（１ｃ）に、その内面側に突出するように形成する一方、この取り付けボス（９）の突出端部を受容する逃げ孔（４２）を前記コイルカバー（７ａ）に設けたことを特徴とする、電磁アクチュエータ。
【請求項５】
請求項４記載の電磁アクチュエータにおいて、
前記逃げ孔（４２）及び前記嵌合取り付け部（７ｃ）を互いに平行に形成したことを特徴とする、電磁アクチュエータ。
【請求項６】
請求項１〜５の何れかに記載の電磁アクチュエータにおいて、
前記ボビン（２）の、前記ジョイント部材（２４）とは反対側の端部に、前記コイル（３）に連なるカプラ端子（３４）を備えるカプラ（３５）を連設したことを特徴とする、電磁アクチュエータ。
【請求項７】
請求項６記載の電磁アクチュエータにおいて、
前記カプラ（３５）の根元に嵌合するカプラ保持部（４１）を前記コイルカバー（７ａ）に一体に成形したことを特徴とする、電磁アクチュエータ。
【発明の詳細な説明】
【０００１】
【発明の属する技術分野】
本発明は，磁性体のハウジング，このハウジング内に配設されるボビン，このボビンに巻装されるコイル，このボビンに囲繞されて前記ハウジングに固着される固定コア，前記コイルの励磁により前記固定コアに吸着される可動プランジャ，この可動プランジャを前記固定コアから離間する方向に付勢する戻しばね，前記可動プランジャの，ハウジング外に突出する外端部に結合されるジョイント部材，及び前記コイルを覆って前記ハウジングに取り付けられるコイルカバーを備える電磁アクチュエータに関する。
【０００２】
【従来の技術】
かゝる電磁アクチュエータは，例えば特開平９−９２５２８号公報に開示されているように，既に知られている。
【０００３】
【発明が解決しようとする課題】
従来のかゝる電磁アクチュエータでは，可動プランジャに対する抜け止め手段が施されていないため，被動機器との非連結状態での運搬等の取り扱い中に，可動プランジャが脱落する虞があった。
【０００４】
本発明は，かゝる事情に鑑みてなされたもので，可動プランジャの脱落を簡単に防ぐことができるようにした，前記電磁アクチュエータを提供することを目的とする。
【０００５】
【課題を解決するための手段】
上記目的を達成するために、本発明は、磁性体のハウジング、このハウジング内に配設されるボビン、このボビンに巻装されるコイル、このボビンに囲繞されて前記ハウジングに固着される固定コア、前記コイルの励磁により前記固定コアに吸着される可動プランジャ、この可動プランジャを前記固定コアから離間する方向に付勢する戻しばね、前記可動プランジャの、ハウジング外に突出する外端部に結合されるジョイント部材、及び前記コイルを覆って前記ハウジングに取り付けられるコイルカバーを備える電磁アクチュエータにおいて、前記コイルカバーに、前記可動プランジャの外端部外周を覆うプランジャカバーを一体に成形して、カバー組立体を構成し、前記プランジャカバーの半径方向に弾性変形が可能であって自由状態では前記ジョイント部材に係合して該部材の外方移動を規制するストッパ腕を、該プランジャカバーの周壁の一部により構成したことを第１の特徴とする。
【０００６】
この第１の特徴によれば、カバー組立体により、コイル及び可動プランジャを覆い、これらを塵埃の侵入や他物との接触から保護することができると共に、可動プランジャの抜け出しを防ぐことができ、電磁アクチュエータの耐久性及び取り扱い性の向上を図ることができる。しかも一体のカバー組立体は、部品点数の増加を招くこともない。また、電磁アクチュエータの分解時には、ストッパ腕を、その弾性力に抗して外方へ撓ませるだけでジョイント部材から離脱させることができる。
【０００７】
また本発明は，第１の特徴に加えて，前記ハウジングを，前記固定コアを支持する第１端壁と，前記可動プランジャに貫通される第２端壁と，これら第１及び第２端壁間を連結するように前記コイルの一側に配置される側壁とで構成し，前記第２端壁に嵌合して取り付けられる嵌合取り付け部を前記カバー組立体に一体に成形し，この嵌合取り付け部及び前記ハウジング間に嵌合取り付け部の第２端壁からの離脱を阻止する抜け止め手段を設けたことを第２の特徴とする。
【０００８】
この第２の特徴によれば，ハウジングの第２端壁を利用して，ハウジングにカバー組立体を簡単に取り付けることができる。
【０００９】
さらに本発明は，第２の特徴に加えて，前記抜け止め手段として，前記ボビンのフランジを前記コイルカバーの内周に嵌合し，また前記可動プランジャの摺動を案内すべく前記ボビンの内周に嵌合される案内スリーブを前記第２端壁及びボビンに嵌挿すると共に前記固定コアに固着し，該案内スリーブ及びボビンにより嵌合取り付け部の前記第２端壁からの離脱を阻止するようにしたことを第３の特徴とする。
【００１０】
この第３の特徴によれば，固定コア及び案内スリーブを有効に利用して，ボビンをハウジングに固定するのみならず，カバー組立体の嵌合取り付け部の第２端壁からの離脱を阻止することができ，したがって，嵌合取り付け部の第２端壁からの離脱防止のための特別な固着部材は不要であるから，構造の簡素化と組立性の向上を図ることができる。
【００１１】
さらにまた本発明は，第２又は３特徴に加えて，前記ハウジングの支持体へのねじ止めに使用する取り付けボスを前記側壁に，その内面側に突出するように形成する一方，この取り付けボスの突出端部を受容する逃げ孔を前記コイルカバーに設けたことを第４の特徴とする。
【００１２】
この第４の特徴によれば，ハウジングの板厚より長いねじ孔を取り付けボスに形成することが可能となり，支持体へのねじ止めを強固に行うことができる。しかも，取り付けボスの突出端部はコイルカバーの逃げ孔に受容されるので，取り付けボスに干渉されることなく，コイルカバーを側壁に重ねることができ，電磁アクチュエータのコンパクト化に寄与し得る。
【００１３】
さらにまた本発明は，第４の特徴に加えて，前記逃げ孔及び前記嵌合取り付け部を互いに平行に形成したことを第５の特徴とする。
【００１４】
この第５の特徴によれば，カバー組立体を合成樹脂で成形するとき，嵌合取り付け部及び逃げ孔に対する成形金型の抜き方向を同一として，その成形を容易に行うことができる。
【００１５】
さらにまた本発明は，第１〜第５の特徴の何れかに加えて，前記ボビンの，前記ジョイント部材とは反対側の端部に，前記コイルに連なるカプラ端子を備えるカプラを連設したことを第６の特徴とする。
【００１６】
この第６の特徴によれば，カプラ及びジョイント部材間の距離を大きく設定することが可能となり，カプラ端子に接続される外部リード線とジョイント部材との干渉を確実に防ぐことができる。
【００１７】
さらにまた本発明は，第６の特徴に加えて，前記カプラの根元に嵌合するカプラ保持部を前記コイルカバーに一体に成形したことを第７の特徴とする。
【００１８】
この第７の特徴によれば，コイルカバーと一体のカプラ保持部により，カプラの位置決めと補強を簡単に行うことができる。
【００１９】
【発明の実施の形態】
本発明の実施の形態を，添付図面に示す本発明の実施例に基いて説明する。
【００２０】
図１は本発明に係る電磁アクチュエータの縦断平面図，図２は図１の２−２線断面図，図３は図１の３矢視図，図４は図１の４矢視図，図５は図１の５−５線断面図，図６は同電磁アクチュエータのハウジングの斜視図，図７は同電磁アクチュエータのカバー組立体の一端側から見た斜視図，図８は同カバー組立体の他端側から見た斜視図，図９は同電磁アクチュエータの組立工程説明図である。
【００２１】
図１〜図６に示すように，電磁アクチュエータＡは，ハウジング１，ボビン２，コイル３，案内スリーブ４，固定コア５，可動プランジャ６及びカバー組立体７を主たる構成要素とする。
【００２２】
図１及び図６において，ハウジング１は１枚の磁性鋼板をコ字状にプレス成形してなるもので，相対向する前後の第１及び第２端壁１ａ，１ｂと，これらを連結する側壁１ｃとからなっており，特に第１端壁１ａの両側縁は，側壁１ｃの両側縁より内側に寄っていて，第１端壁１ａの横幅は側壁１ｃの横幅よりも小さく設定されている。側壁１ｃには位置決め突起８及び取り付けボス９が設けられ，これらを利用して電磁アクチュエータＡは，適当な支持体Ｓの定位置にボルト１０により固着される。ハウジング１の第１端壁１ａには，その中心部に小径支持孔１１が穿設される。第２端壁１ｂには，上記小径支持孔１１と同軸線上に並ぶ大径支持孔１２が穿設される。取り付けボス９は，側壁１ｃの外側からのバーリング加工により，側壁１ｃ内面側に突出するように形成される。したがって，取り付けボス９には，有効長が側壁１ｃの板厚より充分に長いねじ孔を形成でき，支持体Ｓへのねじ止めを強固に行うことができる。
【００２３】
図２及び図３において，ボビン２は合成樹脂製であって，コイル３を巻装する円胴２ｃと，この円胴２ｃの一端に連なる厚肉フランジ２ａと，円胴２ｃの他端に連なる薄肉フランジ２ｂとからなっている。円胴２ｃの内径は前記大径支持孔１２と略同径に設定され，また両フランジ２ａ，２ｂの外面間距離は，前記ハウジング１の両端壁１ａ，１ｂの内面間距離と略等しく設定される。
【００２４】
厚肉フランジ２ａには，その外周縁部から軸方向外方へ延出するカプラハウジング１３が一体に連設される。このカプラハウジング１３はボビン２と一体成形される。したがって，ボビン２をハウジング１の両端壁１ａ，１ｂ間に挿入すれば，ボビン２の厚肉フランジ２ａはハウジング１の第１端壁１ａ内面に，薄肉フランジ２ｂは第２端壁１ｂ内面にそれぞれ密着して，ボビン２の軸方向の動きが阻止される。その際，ボビン２は，カプラハウジング１３が電磁アクチュエータＡの使用状態に応じて第１端壁１ａの一側又は他側にくるように，配置される（図３及び図４参照）。
【００２５】
ところで，ハウジング１では，前述のように，第１端壁１ａの横幅が側壁１ｃの横幅よりも小さく設定されているので，その横幅を小さくした分，第１端壁１ａの一側又は他側に隣接配置されるカプラハウジング１３のハウジング１からの側方張り出し量が減少することになり，電磁アクチュエータＡのコンパクト化を図ることができる。
【００２６】
ボビン２の円胴２ｃ及び第２端壁１ｂの大径支持孔１２に非磁性金属製の案内スリーブ４が嵌装され，この案内スリーブ４内に固定コア５及び可動プランジャ６が配設され，可動プランジャ６は案内スリーブ４内を摺動可能である。
【００２７】
固定コア５は円柱状をなしており，この一端部外周に環状溝１９が，またその一端面に小軸２０が形成される。さらにその他端部には，その端面に開口するテーパ孔２１と，このテーパ孔２１の小径端に連なる凹部２２とが設けられる。この固定コア５は案内スリーブ４の一端部内周面に密合され，該スリーブ４の，前記環状溝１９との対応部分を数個所かしめることにより，該スリーブ４の内周面から隆起させた数個のかしめ突起２３が前記環状溝１９に係止される。このようなかしめ結合を行うと，比較的軽いかしめ力をもってかしめ突起２３の形成が可能であり，案内スリーブ４及び固定コア５の歪みを防ぎ，両者４，５の同軸性を確保することができる。
【００２８】
また固定コア５は，その小軸２０をハウジング１の第１端壁１ａの小径支持孔１１に挿通されて該端壁１ａの内面に密着するように配置され，小軸２０の外端は，かしめにより膨大部２０ａに形成される。こうして固定コア５はハウジング１の第１端壁１ａに固着される。したがって，案内スリーブ４は固定コア５を介してハウジング１に固定されることになる。
【００２９】
案内スリーブ４の他端部は，ハウジング１の第２端壁１ｂの大径支持孔１２に嵌挿されると共に，その第２端壁１ｂから外方へ長く突出する。この突出により案内スリーブ４の可動プランジャ６に対する支持スパンが増加し，可動プランジャ６の傾きを極力抑えることができる。
【００３０】
可動プランジャ６は，固定コア５のテーパ孔２１に対応するテーパ軸部６ａを内端に有する。このテーパ軸部６ａの端面には，膨大頭部３２ａを有する小軸３２が突設され，これにゴム等からなる弾性ストッパ３３が装着される。この弾性ストッパ３３は，可動プランジャ６の固定コア５に対する近接距離を一定に規制すべく固定コア５の前記凹部２２の底面に当接するようになっており，その当接衝撃は弾性ストッパ３３自体の圧縮変形により吸収される。
【００３１】
可動プランジャ６の，案内スリーブ４から突出した外端にはジョイント部材２４が付設される。このジョイント部材２４は合成樹脂製で，円筒部２４ａと，その端壁２４ｂから突出する目玉部２４ｃとからなっており，その円筒部２４ａが可動プランジャ６の外端部外周面に圧入結合され，目玉部２４ｃには被作動部材２６が連結されるようになっている。また円筒部２４ａには，複数の横孔２７と，この横孔２７に臨んで先端の爪部を半径方向内向きに屈曲させた係止爪２８とが一体に形成され，この係止爪２８は，円筒部２４ａに圧入された可動プランジャ６の外端面が端壁２４ｂに当接したとき，可動プランジャ６の外周の環状溝２９に自己の弾性力をもって係合する。したがって，円筒部２４ａ及び可動プランジャ６の圧入結合に万一緩みが生じても，ジョイント部材２４の離脱を防ぐことができる。
【００３２】
さらにジョイント部材２４の円筒部２４ａの内端側外周面には，テーパ部３０と，このテーパ部３０の大径端から立上る円形のフランジ３１（図５参照）とが形成される。このフランジ３１と，ハウジング１の第２端壁１ｂとの間に，テーパコイルばねからなる戻しばね２５が縮設され，そのばね力により可動プランジャ６は固定コア５から離間する方向に付勢される。
【００３３】
而して，コイル３に通電してこれを励磁すると，ハウジング１を通して固定コア５及び可動プランジャ６に流れる磁束により，両コア５，６相互に吸引力が発生し，可動プランジャ６は図２の実線位置から戻しばね２５を圧縮しつゝ固定コア５に向って前進して，被作動部材２６を作動する。
【００３４】
ボビン２の厚肉フランジ２ａからカプラハウジング１３にかけて，コイル３の両端末に接続される一対のカプラ端子３４がモード結合される。また両カプラ端子３４間にはノイズ防止用ダイオード３８が接続され，このダイオード３８を収容するための凹部３９が厚肉フランジ２ａの外端面に形成される。これによりダイオード３８を他物との接触や塵埃等の侵入から保護することができる。
【００３５】
上記カプラハウジング１３及び一対のカプラ端子３８によりカプラ３５が構成されるもので，これに図示しない電源側カプラが接続される。
【００３６】
このカプラ３５は，ボビン２の，前記ジョイント部材２４と反対側の端部，即ち厚肉フランジ２ａに連設される。こうすることにより，カプラ３５及びジョイント部材２４間の距離を大きく設定することが可能となり，前記電源側カプラのリード線とジョイント部材２４との干渉を確実に防ぐことができる。
【００３７】
ハウジング１には，コイル３と，可動プランジャ６のハウジング１外に露出した部分とを覆う合成樹脂製のカバー組立体７が取付けられる。このカバー組立体７について，図２，図７及び図８により説明する。
【００３８】
カバー組立体７は，コイル３をその外周面全体を覆うコイルカバー７ａと，可動プランジャ６のハウジング１外に露出した部分を覆うプランジャカバー７ｂと，これらカバー７ａ，７ｂを一体に結合する共通の嵌合取り付け部７ｃとから構成される。
【００３９】
コイルカバー７ａは，横断面が長方形の角筒状をなしていて，コイル３の外周を覆いながらハウジング１の第１，第２両端壁１ａ，１ｂ間に配置される。その際，コイルカバー７ａの長方形断面の長辺側がハウジング１の側壁１ｃと平行に配置される。このコイルカバー７ａの長辺側の相対向する側壁内面には，前記ボビン２の両フランジ２ａ，２ｂの外周面の一部が係合する断面円弧状の位置決め溝４０が形成される。
【００４０】
またコイルカバー７ａには，プランジャカバー７ｂと反対側において，長方形断面の短辺側一側縁に前記カプラハウジング１３の根元に嵌合する断面コ字状のカプラ保持部４１が一体に形成される。
【００４１】
さらにコイルカバー７ａには，長辺側の両側壁にそれぞれ一対の逃げ孔４２が穿設される。これら逃げ孔４２は，長辺側の各側壁がハウジング１の側壁１ｃ内面に重ねられたとき，該側壁１ｃの取り付けボス９の突出端部を受け入れ可能に配置される。したがって，カプラ保持部４１の位置をハウジング１の第１端壁１ａの左側及び右側に何れにも選択し得るように，コイルカバー７ａの長辺側の両側壁は，何れも取り付けボス９に干渉されることなくハウジング１の側壁１ｃ内面に重ねることが可能である。かくして，ハウジング１に対するコイルカバー７ａの取り付け位置を変更するのみ，カプラ３５をハウジング１の一側に配置する第１使用態様と，他側に配置する第２使用態様とを選択することができ，したがって部品点数の増加を伴うことなく，カプラ３５の位置を異にする二タイプの電磁アクチュエータＡを廉価に提供することが可能となる。
【００４２】
また各逃げ孔４２及び前記嵌合取り付け部７ｃは，それらの軸線が互いに平行となるように配置される。こうすることにより，合成樹脂製のカバー組立体７の成形時，嵌合取り付け部７ｃ及び各逃げ孔４２に対する成形金型の抜き方向を同一として，その成形を容易に行うことができる。
【００４３】
一方，プランジャカバー７ｂは円筒状をなしていて，可動プランジャ６のハウジング１外に露出した部分を覆うように配置される。嵌合取り付け部７ｃは，ハウジング１の第２端壁１ｂの断面形状に対応した，両端開放の中空部４３を有しており，その中空部４３に上記第２端壁１ｂが嵌装される。
【００４４】
プランジャカバー７ｂには，ジョイント部材２４の前記フランジ３１と係合して可動プランジャ６の案内スリーブ４からの離脱を阻止するストッパ腕４５が該カバー７ｂの周壁の一部によって構成される。その際，プランジャカバー７ｂには，ストッパ腕４５の両側に隣接する一対のスリット４６がプランジャカバー７ｂの外端側から切り込まれる。これにより各ストッパ腕４５は，プランジャカバー７ｂの半径方向の弾性が付与される。またスリット４６の切り込み深さがストッパ腕４５の有効長さを決定する。
【００４５】
ストッパ腕４５は，プランジャカバー７ｂに直径線上で対向する二箇所に設けられ，それらの先端には，各ストッパ腕４５の自由状態で前記フランジ３１の外端面に係合し得る内向きのフック４７が一体に形成される。またそのフック４７の外端には斜面４７ａが形成される。この斜面４７ａは，前記ジョイント部材２４のプランジャカバー７ｂへの挿入時，前記フランジ３１により押し退けられてストッパ腕４５を半径方向外方へ撓ませるようになっている。
【００４６】
而して，電磁アクチュエータＡの組み立てに当たっては，図９（Ａ）に示すように，カバー組立体７のコイルカバー７ａ内に，コイル３付きのボビン２を挿入すると共に，カプラハウジング１３の根元をカプラ保持部４１に嵌合する。その際，ボビン２の両フランジ２ａ，２ｂがコイルカバー７ａ内壁の位置決め溝４０に係合することにより，ボビン２及びコイルカバー７ａの同心状態が得られる。またカプラ保持部４１がカプラハウジング１３の根元に嵌合することにより，カプラ３５の位置決めと補強を簡単，確実に行うことができる。
【００４７】
次いで図９の（Ｂ）に示すように，カバー組立体７の嵌合取り付け部７ｃにハウジング１の第２端壁１ｂを嵌合する。その際，第２端壁１ｂを嵌合取り付け部７ｃの両開口部の何れ側から嵌合するかによって，カプラハウジング１３を図２に示すようにハウジング１の上側（実線位置）又は下側（鎖線位置）に配置する。
【００４８】
続いて，図９（Ｃ）に示すように，固定コア５にかしめ結合した案内スリーブ４をハウジング１の大径支持孔１２及びボビン２の円胴２ｃへと挿入すると共に，固定コア５の小軸２０をハウジング１の小径支持孔１１に嵌挿する。そして図９（Ｄ）に示すように，小軸２０の外端をかしめて膨大部２０ａとなす。こうして固定コア５及び案内スリーブ４はハウジング１に固着される。その結果，ボビン２の第１，第２両端壁１ａ，１ｂ間からの離脱，並びにカバー組立体７の嵌合取り付け部７ｃの第２端壁１ｂからの離脱が阻止される。したがって，嵌合取り付け部７ｃの第２端壁１ｂからの離脱防止のための特別な固着部材は不要であるから，構造の簡素化と組立性の向上を図ることができる。
【００４９】
最後に，図２に示すように，戻しばね２５及びジョイント部材２４を装着した可動プランジャ６を案内スリーブ４に挿入する。この場合，ジョイント部材２４がプランジャカバー７ｂ内に押し込まれるとき，そのフランジ３１がプランジャカバー７ｂの一対のストッパ腕４５の斜面４７ａを滑ることにより，ストッパ腕４５を撓ませながらフック４７を外方へ排除するので，フランジ３１はフック４７の前をスムーズに通過することができる。その通過後，可動プランジャ６から押し込み力を解放すれば，戻しばね２５の戻し力をもって可動プランジャ６は後退するが，ジョイント部材２４のフランジ３１の外端面が両ストッパ腕４５のフック４７に係合することにより，可動プランジャ６の案内スリーブ４からの抜け出しが阻止される。
【００５０】
かくして，コイル３及びプランジャ６は，一体のカバー組立体７を構成するコイルカバー７ａ及びプランジャカバー７ｂによってそれぞれ覆われ，塵埃の侵入や他物との接触から保護される。しかも，そのプランジャカバー７ｂを利用して可動プランジャ６の案内スリーブ４からの抜け出しを簡単に防ぐことができる。したがって，電磁アクチュエータＡの運搬その他の取り扱い中，可動プランジャ６が脱落することはなく，その取り扱いがし易くなる。
【００５１】
また組立時，ジョイント部材２４をプランジャカバー７ｂ内に無造作に挿入するだけで，フランジ３１を両ストッパ腕４５のフック４７に係合することができる。しかも，フランジ３１は円形であるため，可動プランジャ６の如何なる回動位置でも，ジョイント部材２４のフランジ３１とストッパ腕４５のフック４７との係合を常に確実に行うことができ，組立性が極めて良好となる。また，電磁アクチュエータＡの分解時には，両ストッパ腕４５を，その弾性力に抗して外方へ撓ませるだけで，各フック４７をジョイント部材２４のフランジ３１から離脱させ，可動プランジャ６を案内スリーブ４から引き出すことができ，メンテナンス性も良好である。
【００５２】
さらに両ストッパ腕４５のフック４７は，フランジ３１の直径線状で対向する両側部に係合するから，フランジ３１との安定した係合状態を常に得ることができる。
【００５３】
さらにまたジョイント部材２４のフランジ３１は，その内側面で戻しばね２５の可動端を支承し，外側面でストッパ腕４５のフック４７と係合するという，異なる二つの機能を果たすので，電磁アクチュエータＡの構造の簡素化及びコンパクト化に寄与することができる。
【００５４】
本発明は，上記実施例に限定されるものではなく，その要旨を逸脱することなく，種々の設計変更が可能である。例えば，固定コア及び案内スリーブを，かしめに代えて，溶接，ろう付け等により結合することもできる。
【００５５】
【発明の効果】
以上のように本発明の第１の特徴によれば、コイルカバーに、可動プランジャの外端部外周を覆うプランジャカバーを一体に成形して、カバー組立体を構成し、プランジャカバーの半径方向に弾性変形が可能であって自由状態ではジョイント部材に係合して該部材の外方移動を規制するストッパ腕を、該プランジャカバーの周壁の一部により構成したので、カバー組立体により、コイル及び可動プランジャを覆い、これらを塵埃の侵入や他物との接触から保護することができると共に、可動プランジャの案内スリーブからの抜け出しを防ぐことができ、電磁アクチュエータの耐久性及び取り扱い性の向上を図ることができる。しかも一体のカバー組立体は、部品点数の増加を招くこともない。また、電磁アクチュエータの分解時には、ストッパ腕を、その弾性力に抗して外方へ撓ませるだけでジョイント部材から離脱させることができる。
【００５６】
また本発明の第２の特徴によれば，第１の特徴に加えて，前記ハウジングを，前記固定コアを支持する第１端壁と，前記可動プランジャに貫通される第２端壁と，これら第１及び第２端壁間を連結するように前記コイルの一側に配置される側壁とで構成し，前記第２端壁に嵌合して取り付けられる嵌合取り付け部を前記カバー組立体に一体に成形し，この嵌合取り付け部及び前記ハウジング間に嵌合取り付け部の第２端壁からの離脱を阻止する抜け止め手段を設けたので，ハウジングの第２端壁を利用して，ハウジングにカバー組立体を簡単に取り付けることができる。
【００５７】
さらに本発明の第３の特徴によれば，第２の特徴に加えて，前記抜け止め手段として，前記ボビンのフランジを前記コイルカバーの内周に嵌合し，また前記可動プランジャの摺動を案内すべく前記ボビンの内周に嵌合される案内スリーブを前記第２端壁及びボビンに嵌挿すると共に前記固定コアに固着し，該案内スリーブ及びボビンにより嵌合取り付け部の前記第２端壁からの離脱を阻止するようにしたので，固定コア及び案内スリーブを有効に利用して，ボビンをハウジングに固定するのみならず，カバー組立体の嵌合取り付け部の第２端壁からの離脱を阻止することができ，したがって，嵌合取り付け部の第２端壁からの離脱防止のための特別な固着部材は不要であるから，構造の簡素化と組立性の向上を図ることができる。
【００５８】
さらにまた本発明の第４に特徴によれば，第２又は３特徴に加えて，前記ハウジングの支持体へのねじ止めに使用する取り付けボスを前記側壁に，その内面側に突出するように形成する一方，この取り付けボスの突出端部を受容する逃げ孔を前記コイルカバーに設けたので，ハウジングの板厚より長いねじ孔を取り付けボスに形成することが可能となり，支持体へのねじ止めを強固に行うことができる。しかも，取り付けボスの突出端部はコイルカバーの逃げ孔に受容されるので，取り付けボスに干渉されることなく，コイルカバーを側壁に重ねることができ，電磁アクチュエータのコンパクト化に寄与し得る。
【００５９】
さらにまた本発明の第５の特徴によれば，第４の特徴に加えて，前記逃げ孔及び前記嵌合取り付け部を互いに平行に形成したので，カバー組立体を合成樹脂で成形するとき，嵌合取り付け部及び逃げ孔に対する成形金型の抜き方向を同一として，その成形を容易に行うことができる。
【００６０】
さらにまた本発明の第６の特徴によれば，第１〜第５の特徴の何れかに加えて，前記ボビンの，前記ジョイント部材とは反対側の端部に，前記コイルに連なるカプラ端子を備えるカプラを連設したので，カプラ及びジョイント部材間の距離を大きく設定することが可能となり，カプラ端子に接続される外部リード線とジョイント部材との干渉を確実に防ぐことができる。
【００６１】
さらにまた本発明の第７の特徴によれば，第６の特徴に加えて，前記カプラの根元に嵌合するカプラ保持部を前記コイルカバーに一体に成形したので，コイルカバーと一体のカプラ保持部により，カプラの位置決めと補強を簡単に行うことができる。
【図面の簡単な説明】
【図１】本発明に係る電磁アクチュエータの縦断平面図。
【図２】図１の２−２線断面図。
【図３】図１の３矢視図。
【図４】図１の４矢視図。
【図５】図１の５−５線断面図。
【図６】同電磁アクチュエータのハウジングの斜視図。
【図７】同電磁アクチュエータのカバー組立体の一端側から見た斜視図。
【図８】同カバー組立体の他端側から見た斜視図。
【図９】同電磁アクチュエータの組立工程説明図。
【符号の説明】
Ａ・・・・・電磁アクチュエータ
１・・・・・ハウジング
１ａ・・・・第１端壁
１ｂ・・・・第２端壁
１ｃ・・・・側壁
２・・・・・ボビン
２ａ，２ｂ・・・ボビンのフランジ
３・・・・・コイル
５・・・・・固定コア
６・・・・・可動プランジャ
７・・・・・カバー組立体
７ａ・・・・コイルカバー
７ｂ・・・・プランジャカバー
７ｃ・・・・嵌合取り付け部
９・・・・・取り付けボス
２４・・・・ジョイント部材
２５・・・・戻しばね
３４・・・・カプラ端子
３５・・・・カプラ
４１・・・・カプラ保持部
４２・・・・逃げ孔
４５・・・・ストッパ腕
【図１】
0003954804.tif 000002
【図２】
0003954804.tif 000003
【図３】
0003954804.tif 000004
【図４】
0003954804.tif 000005
【図５】
0003954804.tif 000006
【図６】
0003954804.tif 000007
【図７】
0003954804.tif 000008
【図８】
0003954804.tif 000009
【図９】
0003954804.tif 000010